(57)【要約】      （修正有）【課題】室内栽培環境における空気品質及び発生し得る病菌汚染等の管理制御・メンテナンスの問題を効果的に解決する立体型植物果菜栽培箱を提供する。【解決手段】植物果菜栽植培養箱１０内に、水耕・土耕・培養土の栽培プレート４０が可動に設けられ、箱内或いは栽培装置外部に設けられた照明フレーム２０上にナノ光触媒が塗布されたＬＥＤ管型照明・冷陰極管型照明の発光源３０が設けられる。ＬＥＤ管型照明の発光源は、波長６３３〜６７０ナノメートルの赤色光スペクトル、及び波長３８０〜４８０ナノメートルの青色光スペクトルである。発光源にナノ光触媒が塗布されることにより、点灯後に光触媒が作用し、空気濾過による抗菌・除菌・消臭効果が得られるとともに、周辺の有機粉塵分子やニコチン、アンモニアが分解され、植えられた果菜を収穫後に直接食べられるようになる。【選択図】図１
0003192693.tif 000002
【実用新案登録請求の範囲】
【請求項１】
箱体と、照明フレームと、管型照明と、栽培プレートとからなる立体型植物果菜栽培箱であって、
前記箱体は、前後が開口した形状をなすとともに、頂部外表面に接続溝が設けられ、底部外表面に接続凸板が設けられ、左側面上に接続孔が設けられ、右側面上に接続凸ブロックが設けられ、更に前記箱体には電源スイッチと電源コードが設けられ、
前記照明フレームは、前記箱体内の頂部に設けられ、
前記管型照明は、ナノ光触媒が塗布されたＬＥＤ、或いは冷陰極（ＣＣＦＬ）管型照明であり、
更に前記照明フレームには、一つ以上の前記管型照明が設けられ、
前記栽培プレートは、頂部上に複数の栽培孔が均一に分布して設けられるとともに、前記箱体の底面上に可動に設けられることを特徴とする、立体型植物果菜栽培箱。
【請求項２】
前記管型照明の光源は、６３３〜６７０（＋／−５）ナノメートルの波長を有する赤色光スペクトル、及び３８０〜４８０（＋／−５）ナノメートルの波長を有する青色光スペクトルであることを特徴とする、請求項１に記載の立体型植物果菜栽培箱。
【請求項３】
前記栽培プレートは、水耕用、或いは土耕用、或いは培養土用の形態をなすことを特徴とする、請求項１に記載の立体型植物果菜栽培箱。
【請求項４】
前記照明フレームに設けられたナノ光触媒管型照明は、ＬＥＤ管型照明、或いは冷陰極（ＣＣＦＬ）管型照明、或いはＬＥＤ管型照明及び冷陰極（ＣＣＦＬ）管型照明からなる電球・スクエア照明・ボックス照明・映写用照明の発光源であることを特徴とする、請求項１に記載の立体型植物果菜栽培箱。
【請求項５】
前記照明フレームと管型照明は、前記箱体の左右内側面上方、或いは前記箱体の内周面、或いは前記箱体の中央部、或いは栽培装置外部に設けられ、
前記管型照明は、螺旋型照明、或いは電球、或いはスクエア照明、或いはボックス照明、或いは映写用照明の発光源によって代替されることを特徴とする、請求項１に記載の立体型植物果菜栽培箱。
【考案の詳細な説明】
【技術分野】
【０００１】
本考案は、立体型植物果菜栽培箱に関し、特に室内で用いられるとともに照明によって、太陽光を代替したり、温室内の光線が不足している時に補助光源を供給したり、夜間時に植物や果菜の栽培に必要な照明を供給し続けたりすることができる、立体型植物果菜栽培箱に関する。
【背景技術】
【０００２】
近年、生活品質は日々向上されており、これに伴って身の回りの物事の質に対する要求も高まってきている。特に、食に関する関心は高く、毎日必ず口にする果菜については、見た目が整っており色鮮やかで虫食いがないこと、品質が新鮮・無農薬・無汚染であることが重視される。このような厳しい要求に応えることは、従来の果菜栽培方法では困難であるため、植物工場と呼ばれる栽培方法が編み出された。植物工場とは、室内水耕による果菜栽培方法であり、一般的には、室内スペースに特定のサイズの多層型フレームが設けられ、各層のフレームにおける底部に水耕、或いは土耕、或いは培養土の複数の栽培プレートが設けられ、各層のフレームにおける頂部に所定の数量の管型（電球型）ＬＥＤ照明・管型（電球型）蛍光灯照明が設けられてなる。栽培する数量の果菜幼苗を栽培プレート（水耕・土耕・培養土用）に設けられた栽培孔に入れ、太陽光の代わりに管型（電球型）ＬＥＤ照明・管型（電球型）蛍光灯照明の光によって光合成が行われることにより、幼苗が生育する。この種の栽培方法は、室外の劣悪な環境に影響されずに、清潔な環境条件の下で植物を育てられるため、生育後の果菜が新鮮・無農薬・無汚染という品質要求を満たすことができる。
【考案の概要】
【考案が解決しようとする課題】
【０００３】
本考案は、前述した室内栽培環境における空気品質及び発生し得る病菌汚染等の管理制御・メンテナンスの問題を効果的に解決するとともに、コストを削減することができる栽培方法を可能にする、立体型植物果菜栽培箱を提供することを目的とする。
【０００４】
また本考案は、極めて簡単な構造により、どのような室内においても植物工場のような栽培方法が可能である（例えば住居・オフィス・広めの室内スペースのいずれにおいても気軽に実施できる）とともに、各家庭において略式ＤＩＹ方式での高品質な栽培（即ち、新鮮・無農薬・無汚染、且つ無菌で生食が望める）を実現する、立体型植物果菜栽培箱を提供することを目的とする。
【課題を解決するための手段】
【０００５】
上述の目的を達成するため、本考案の立体型植物果菜栽培箱は、特定の植物果菜栽植培養箱（或いは棚／台座／壁／小箱型等の栽培用容器）内部に、水耕、或いは土耕、或いは培養土の栽培プレートが可動に設けられる。箱内の頂部、或いは側辺、或いは内周面、或いは中央部、或いは栽培装置外部には、照明フレームが設けられる。照明フレーム上には、可見光、或いは微量の紫外線による触発効果を持つナノ光触媒が塗布されたＬＥＤ、或いはＬＥＤ管型照明＋冷陰極（ＣＣＦＬ）管型照明からなる電球・スクエア照明・ボックス照明・映写用照明等の発光源が設けられる。また、ＬＥＤ管型照明の発光源は、６３３〜６７０（＋／−５）ナノメートルの波長を有する赤色光スペクトル、及び３８０〜４８０（＋／−５）ナノメートルの波長を有する青色光スペクトルである（ＣＣＦＬ管型照明は、上述を含む、或いはより広範囲の赤／青スペクトルの発光源を有することも可能である）。
【考案の効果】
【０００６】
以上の構造により、植物果菜の茎・葉の生育を補助促進するという効果が得られる。また、冷陰極（ＣＣＦＬ）発光源は、可視光範囲内の全てのスペクトルを含み、光合成に必要な光源を提供することができる。加えて、管型照明・電球・スクエア照明・ボックス照明・映写用照明等の発光源にナノ光触媒が塗布されることにより、点灯後に光触媒が作用し、空気が濾過されて抗菌・除菌・消臭といった効果が得られるとともに、周辺の有機粉塵分子（例えば、ホルムアルデヒド等の発癌性有機粉塵分子）やニコチン、アンモニアが分解されて、植えられた果菜を収穫後に直接食べることが可能になる。
【図面の簡単な説明】
【０００７】
【図１】本考案の構造を示した外観図である。
【図２】本考案の実施例１である。
【図３】本考案の実施例２である。
【考案を実施するための形態】
【０００８】
図１を参照する。本考案は、箱体１０と、照明フレーム２０と、管型照明３０と、栽培プレート４０とからなる。箱体１０は、前後が開口した形状をなすとともに、頂部外表面に接続溝１０１が設けられ、底部外表面に接続凸板１０２が設けられ、左側面上に接続孔１０３が設けられ、右側面上に接続凸ブロック１０４が設けられる。箱体１０には、更に電源スイッチ１０５、及び電源コード１０６が設けられる。照明フレーム２０は、箱体１０内の頂部に設けられ、照明フレーム２０には一つ以上の管型照明３０が設けられる。管型照明３０は、可視光や微量の紫外線による触発効果を持つナノ光触媒が塗布されたＬＥＤ管型照明、或いは冷陰極（ＣＣＦＬ）管型照明、或いはＬＥＤ管型照明＋冷陰極（ＣＣＦＬ）管型照明からなる電球・スクエア照明・ボックス照明・映写用照明等の発光源である。また、ＬＥＤ管型照明の発光源は、６３３〜６７０（＋／−５）ナノメートルの波長を有する赤色スペクトル、及び３８０〜４８０（＋／−５）ナノメートルの波長を有する青色光スペクトルである（ＣＣＦＬ管型照明は、上述を含むか、或いはより広範囲の赤／青スペクトルの発光源を有することも可能である）。栽培プレート４０は、頂部上に複数の栽培孔４０１が均一に分布して設けられるとともに、箱体１０底面上に可動に設けられ、且つ栽培プレート４０は水耕用、或いは土耕用の形態をなす。以上の構造により、管型照明３０における波長６３３〜６７０（＋／−５）ナノメートルの赤色光スペクトル、及び波長３８０〜４８０（＋／−５）ナノメートルの青色光スペクトルにより、植物果菜の茎・葉の生育を補助促進するという効果が得られる。また、冷陰極（ＣＣＦＬ）発光源が可視光範囲内の全てのスペクトルを含み、光合成に必要な光源を提供することにより、植物果菜を生長させる効果が得られる。加えて、管型照明／電球／スクエア照明／ボックス照明／映写用照明等の発光源にナノ光触媒が塗布されることにより、点灯後に光触媒が作用し、空気を濾過して抗菌・除菌・消臭といった効果が得られるとともに、周辺の有機粉塵分子（例えば、ホルムアルデヒド等の発癌性有機粉塵分子）やニコチン、アンモニアを分解して、植えられた果菜を収穫後に直接食べられるようになる。
【０００９】
（実施例１）
図２を参照する。箱体１０頂部の外表面における接続溝１０１と、箱体１０底部の外表面における接続凸板１０２を合わせることにより、複数の箱体１０を必要な層数まで重ね合わせることができる。上層の箱体１０底部における接続凸板１０２が下層の箱体１０頂部における接続溝１０１に嵌められることにより、重ねられた箱体１０が安定する。また、箱体１０左側面上の接続孔１０３と右側面上の接続凸ブロック１０４により、複数の箱体１０を必要な列数まで並べることができる。左側の箱体１０における接続凸ブロック１０４が右側の箱体１０における接続孔１０３に嵌められることにより、並べられた箱体１０が安定する。以上の構造により、複数の箱体を直接安定的に重ね合わせたり、並べたりして、異なるサイズの栽培スペースを形成することができる。
【００１０】
この他、本考案の箱体１０は、より大きいサイズに設けられるとともに、十分な数の管型照明３０が設けられ、且つ箱体１０のスペース内に、より大型の植物が植えられた植木鉢（或いは、棚／台座／壁／小箱型等の栽培用容器）が設けられる、という形態をなすことも可能である。この場合も、照明光源を異なるスペースに対応した方向に設けることにより、同様の効果が得られる。
【００１１】
（実施例２）
図３を参照する。本考案の実施例２は、室内スペースに特定サイズの多層型のフレーム５０が設けられるとともに、組立が完了した複数の箱体１０が、それぞれフレーム５０の各層に設けられてなる。以上により、植物工場に類した形態の大型栽培スペースが形成される。
【００１２】
前述した照明フレーム２０と管型照明３０は、箱体１０左右の内側面上方、或いは内周面、或いは中央部、或いは栽培装置外部に設けられることも可能である。また、管型照明３０は、螺旋型照明、或いは電球、或いはスクエア照明、或いはボックス照明、或いは映写用照明等の発光源によって代替することも可能である。いずれの場合も同様の効果が得られる。
【００１３】
前述の照明フレーム２０に設けられたナノ光触媒管型照明３０は、ＬＥＤ管型照明、或いは冷陰極（ＣＣＦＬ）管型照明、或いはＬＥＤ管型照明＋冷陰極（ＣＣＦＬ）管型照明からなる電球・スクエア照明・ボックス照明・映写用照明等の発光源である。
【００１４】
前述した立体型植物果菜栽培箱は、棚、或いは台座、或いは壁、或いは小箱型等の栽培用容器の構造をなすことも可能である。
【符号の説明】
【００１５】
１０   箱体
１０１ 接続溝
１０２ 接続凸板
１０３ 接続孔
１０４ 接続凸ブロック
１０５ 電源スイッチ
１０６ 電源コード
２０   照明フレーム
３０   管型照明
４０   栽培プレート
４０１ 栽培孔
５０   フレーム
【図１】
0003192693.tif 000003
【図２】
0003192693.tif 000004
【図３】
0003192693.tif 000005